(57)【要約】 【課題】  予め多数の試験片を組み込み、連続して試験片を供給できる反発弾性試験機の新規な試験片供給装置を提供する。【解決手段】  多数の試験片１２を間隔をおいて収納する多数の試験片収納凹部２を形成した試験片ホルダー１と、この試験片ホルダー１に固定した移動用手段３と、この移動用手段３と協働して試験片ホルダー１を移動する駆動手段４とからなり、多数の試験片収納凹部２の間隔毎に試験片ホルダー１を移動するものである。【選択図】    図１
2008209113.tif 000002
【特許請求の範囲】
【請求項１】
多数の試験片を間隔をおいて収納する多数の試験片収納凹部を形成した試験片ホルダーと、この試験片ホルダーに固定した移動用手段と、この移動用手段と協働して試験片ホルダーを移動する駆動手段とからなり、多数の試験片収納凹部の間隔毎に試験片ホルダーを移動する反発弾性試験機の試験片供給装置。
【請求項２】
上記試験片収納凹部が等間隔に位置付けられ、上記移動用手段が移動用歯型であり、この移動用手段と協働して試験片ホルダーを移動する駆動手段が駆動歯車であり、多数の試験片凹部の等間隔毎に試験片ホルダーを移動する上記請求項１に記載の反発弾性試験機の試験片供給装置。
【請求項３】
上記試験片収納凹部が試験片の径より大きい径であって、試験片を押える押えリングが入り得る径であり、試験片の周囲に試験片収納凹部との間に試験片の膨張を許容する間隔があり、この試験片収納凹部の奥に段部が形成され、試験片が入り得る径に形成した試験片受け部が形成されている上記請求項１又は２に記載の反発弾性試験機の試験片供給装置。
【請求項４】
試験片ホルダーの直前に保護板を設け、この保護板に振子の打撃端が通過する多数の小径の打撃端通過透孔と、試験片を通過して試験片ホルダーの試験片収納凹部に試験片を収納する多数の大径の試験片通過透孔とを、交互に形成してあり、この保護板を打撃端通過透孔と試験片通過透孔との間隔だけ往復変位可能としてあり、打撃端通過透孔又は試験片通過透孔とが試験片ホルダーの試験片収納凹部と対向するようにしてある上記請求項１乃至３の何れかに記載の反発弾性試験機の試験片供給装置。
【請求項５】
振子の打撃端の通過位置に振子の打撃端が通過する打撃端通過透孔を形成した押圧板を設け、この押圧板の裏側に一対又は二対の押圧ピンを突設し、押圧板をシリンダー作動により押圧、解除可能としてあり、押圧位置で押圧ピンの押圧作動により試験片を押圧固定するようにした上記請求項１乃至４の何れかに記載の反発弾性試験機の試験片供給装置。
【請求項６】
上記押圧板の解除位置で振子の打撃端の試験片への打撃を阻止するようにしてある上記請求項１乃至５の何れかに記載の反発弾性試験機の試験片供給装置。
【請求項７】
上記試験片ホルダーにヒーターを設けてある上記請求項１乃至６の何れかに記載の反発弾性試験機の試験片供給装置。
【請求項８】
上記試験片ホルダーと移動用手段又は保護板とをリング状に形成してある上記請求項１乃至７の何れかに記載の反発弾性試験機の試験片供給装置。
【請求項９】
上記試験片ホルダーと移動用手段又は保護板とを直線状に形成してある上記請求項１乃至７の何れかに記載の反発弾性試験機の試験片供給装置。
【発明の詳細な説明】
【技術分野】
【０００１】
本発明は、ゴム材等の反発弾性試験機の試験片供給装置に関する。
【背景技術】
【０００２】
ゴム材等の反発弾性試験機は、例えばリュプケ反発弾性試験機が公知である（例えば特許文献１）。
【特許文献１】特開２０００−２７５１５６号公報
【発明の開示】
【発明が解決しようとする課題】
【０００３】
従前公知のゴム材等の反発弾性試験機は、ただ１つの試験片ホルダーが設けられていた。従って振子の打撃端による１つの試験片の打撃試験毎に人の手により試験片が取付けられ取外されていた。また、このゴム材の試験片はべたついていて、試験片の試験片ホルダーへの取り付けが面倒であり、手間かかっていたという課題がある。
本発明は、上記課題に鑑み、予め多数の試験片を組み込み、連続して試験片を供給できる反発弾性試験機の新規な試験片供給装置を提供するものである。
【課題を解決するための手段】
【０００４】
そのために、本発明の反発弾性試験機の試験片供給装置は、多数の試験片を間隔をおいて収納する多数の試験片収納凹部を形成した試験片ホルダーと、この試験片ホルダーに固定した移動用手段と、この移動用手段と協働して試験片ホルダーを移動する駆動手段とからなり、多数の試験片収納凹部の間隔毎に試験片ホルダーを移動するものである。
【０００５】
また、本発明の反発弾性試験機の試験片供給装置は、上記試験片収納凹部が等間隔に位置付けられ、上記移動用手段が移動用歯型であり、この移動用手段と協働して試験片ホルダーを移動する駆動手段が駆動歯車であり、多数の試験片凹部の等間隔毎に試験片ホルダーを移動するようにしたものである。
【０００６】
さらに、本発明の反発弾性試験機の試験片供給装置は、上記試験片収納凹部が試験片の径より大きい径であって、試験片を押える押えリングが入り得る径であり、試験片の周囲に試験片収納凹部との間に試験片の膨張を許容する間隔があり、この試験片収納凹部の奥に段部が形成され、試験片が入り得る径に形成した試験片受け部が形成されているものである。
【０００７】
また、本発明の反発弾性試験機の試験片供給装置は、試験片ホルダーの直前に保護板を設け、この保護板に振子の打撃端が通過する多数の小径の打撃端通過透孔と、試験片を通過して試験片ホルダーの試験片収納凹部に試験片を収納する多数の大径の試験片通過透孔とを、交互に形成してあり、この保護板を打撃端通過透孔と試験片通過透孔との間隔だけ往復変位可能としてあり、打撃端通過透孔又は試験片通過透孔とが試験片ホルダーの試験片収納凹部と対向するようにしてある。
【０００８】
さらに、本発明の反発弾性試験機の試験片供給装置は、振子の打撃端の通過位置に振子の打撃端が通過する打撃端通過透孔を形成した押圧板を設け、この押圧板の裏側に一対又は二対の押圧ピンを突設し、押圧板をシリンダー作動により押圧、解除可能としてあり、押圧位置で押圧ピンの押圧作動により試験片を押圧固定するようにしたものである。
【０００９】
また、本発明の反発弾性試験機の試験片供給装置は、上記押圧板の解除位置で振子の打撃端の試験片への打撃を阻止するようにしてある。
上記試験片ホルダーにヒーターを設けてあるとよい。
上記試験片ホルダーと移動用手段又は保護板とをリング状に形成してあるとよい。
上記試験片ホルダーと移動用手段又は保護板とを直線状に形成してあってもよい。
【発明の効果】
【００１０】
本発明の反発弾性試験機の試験片供給装置は、多数の試験片を間隔をおいて収納する多数の試験片収納凹部を形成した試験片ホルダーと、この試験片ホルダーに固定した移動用手段と、この移動用手段と協働して試験片ホルダーを移動する駆動手段とからなり、多数の試験片収納凹部の間隔毎に試験片ホルダーを移動するものであるから、ただ１つの試験片だけでなく、多数の試験片を打撃試験位置に、手動で又は自動で供給することができる効果がある。
【００１１】
また、本発明の反発弾性試験機の試験片供給装置は、上記試験片収納凹部が等間隔に位置付けられ、上記移動用手段が移動用歯型であり、この移動用手段と協働して試験片ホルダーを移動する駆動手段が駆動歯車であり、多数の試験片凹部の等間隔毎に試験片ホルダーを移動するようにしてあるから、試験片ホルダーの移動が等間隔であり、移動制御が容易であり、さらに歯型、歯車を使用するから移動用手段が容易である効果がある。
【００１２】
さらに、本発明の反発弾性試験機の試験片供給装置は、上記試験片収納凹部が試験片の径より大きい径であって、試験片を押える押えリングが入り得る径であり、試験片の周囲に試験片収納凹部との間に試験片の膨張を許容する間隔があり、この試験片収納凹部の奥に段部が形成され、試験片が入り得る径に形成した試験片受け部が形成されているものであるから、試験片が振子の打撃端に打撃された際に、試験片が膨張しても、外部からこの膨張を妨害されることなく、正確なしかも安定した反発弾性試験を行うことができる効果がある。
【００１３】
また、本発明の反発弾性試験機の試験片供給装置は、試験片ホルダーの直前に保護板を設け、この保護板に振子の打撃端が通過する多数の小径の打撃端通過透孔と、試験片を通過して試験片ホルダーの試験片収納凹部に試験片を収納する多数の大径の試験片通過透孔とを、交互に形成してあり、この保護板を打撃端通過透孔と試験片通過透孔との間隔だけ往復変位可能としてあり、打撃端通過透孔又は試験片通過透孔とが試験片ホルダーの試験片収納凹部と対向するようにしてあるから、試験片通過透孔を試験片収納凹部と対向することにより、試験片の試験片ホルダーへの取り付け、取り外しをすることができ、小径の打撃端通過透孔を試験片収納凹部と対向位置に変位することにより、多数の試験片を試験片ホルダーに安定して保持することができる効果がある。
【００１４】
さらに、本発明の反発弾性試験機の試験片供給装置は、振子の打撃端の通過位置に振子の打撃端が通過する打撃端通過透孔を形成した押圧板を設け、この押圧板の裏側に一対又は二対の押圧ピンを突設し、押圧板をシリンダー作動により押圧、解除可能としてあり、押圧位置で押圧ピンの押圧作動により試験片を押圧固定するようにしたものであるから、振子の打撃端の試験片への打撃の際、試験片を強固に固定することができる効果がある。
【００１５】
また、本発明の反発弾性試験機の試験片供給装置は、上記押圧板の解除位置で振子の打撃端の試験片への打撃を阻止するようにしてあるから、１度の打撃端の後の振子の惰性による試験片への打撃を阻止して、試験片への打撃試験を正確に安定して行うことができる。
また、上記試験片ホルダーにヒーターを設けてあるから、試験条件として温度設定をすることができる。
さらに、上記試験片ホルダーと移動用歯型又は保護板とをリング状に形成してあるから、試験片供給装置を小型にすることができる。
また、上記試験片ホルダーと移動用歯型又は保護板とを直線状に形成してあるから、試験片供給装置を簡単な構造とすることができる。
【発明を実施するための最良の形態】
【００１６】
図面に基づいて、本発明の具体的な実施の形態を説明する。図面には試験片ホルダーと移動用手段としての移動用歯型及び保護板をリング状に形成した実施例を示してある。
図１に本発明試験片供給装置を備える反発弾性試験機を示してあり、図２に多数の試験片収納凹部２を等間隔に形成した試験片ホルダー１の正面図を示してある。
本発明試験片供給装置は、基本的に、上記試験片ホルダー１と、この試験片ホルダー１に固定した移動用歯型３と、この移動用歯型３と歯合して試験片ホルダー１を移動する駆動用手段としての駆動歯車４とからなり、さらに、試験片ホルダー１の直前に保護板５を設けてある。
図示した実施例では移動用手段として移動用歯型を使用し、駆動用手段としての駆動歯車４を使用したが、この移動用手段及び駆動用手段は歯型及び歯車に限定されない。
【００１７】
試験片ホルダー１には上記した通り、多数の試験片収納凹部２を等間隔に形成してある。図示した実施例では試験片ホルダー１をリング状に形成してあり、上部位置を除いて２０ケの試験片収納凹部２を、その中心間を試験片ホルダー１の中心位置を中心にして１５°の角度毎に形成してあり、各試験片収納凹部２の中心に後方に通じる通孔６を設けてある。またこの試験片ホルダー１には、その上部位置に、横方向に試験片ホルダー１の中心位置を中心にして７．５°の角度、即ち試験片収納凹部２，２間の角度１５°の半分の角度に位置して２ケの受け孔７，７を設けてある。この受け孔７，７は後述する保護板の僅かな往復変位の両端位置の位置決めをするため、後述する保護板に挿通する位置決めピンを嵌入して作用するものである。
【００１８】
この試験片ホルダー１は、図１に示すように、反発弾性試験機の不動の起立基板８又は不動部９から前方に突設した受けローラー１０，１０に内輪を受けさせて回転可能に支持してある。また、この試験片ホルダー１の外周位置の前部にリング状の移動用歯型３を多くの固定ピン１１により固定してある。
試験片ホルダー１の試験片収納凹部２，２に収められるゴム材の試験片は、従前公知の反発弾性試験機に使用していた試験片と同じで、試験片１２の底に試験片受け部材１３を有し、表に試験片１２を押さえる押さえリング１４を有する。
【００１９】
図３に保護板５の正面を示してあり、図１に示すように移動用のリング状歯型に前方に突設した受けローラー１５，１５に保護板５の外輪を受けさせ、試験片ホルダー１に前方に突設した受けローラー１６，１６に保護板５の内輪を受けさせて、保護板５を試験片ホルダー１に円周方向に往復変位可能に支持させてある。この保護板５には反発弾性試験機の振子１７の打撃端１８が通過する多数の小径の打撃端通過透孔１９と、試験片１２を通過して試験片ホルダー１の試験片収納凹部２に試験片１２を収納する多数の大径の試験片通過透孔２０とを、交互に形成してある。この保護板５は、その小径の打撃端通過透孔１９の中心と試験片ホルダー１の試験片収納凹部２の中心とが一致対向する位置と、大径の試験片通過透孔２０の中心と試験片ホルダー１の試験片収納凹部２の中心とが一致対向する位置との間を往復変位するようにしてあり、その位置決めを保護板５の上部に設けた出入ピン２１と上記試験片ホルダー１の上部に設けた受け孔７，７との嵌合により行うようにしてある。
【００２０】
図１及び図３に示す位置、即ち出入ピン２１を試験片ホルダー１の右側の受け孔７に嵌合した位置で、保護板５の小径の打撃端通過透孔１９の中心を試験片ホルダー１の試験片収納凹部２の中心とが一致し、この状態の最下端の打撃端通過透孔１９に振子１７の打撃端１８を通過させて打撃試験を行うようにしてある。
一方、出入ピン２１を試験片ホルダー１の左側の受け孔７に嵌合した位置で、保護板５の大径の試験片通過透孔２０と試験片ホルダー１の試験片収納凹部２とが一致し、この状態で試験片１２をその試験片受け部材１３と押えリング１４とともに試験片収納凹部１２に収納するか、試験片収納凹部２から試験片を取り出すようにしてある。
【００２１】
試験片１２を試験片ホルダー１の試験片収納凹部２に出入するために、好ましくは試験片ホルダー１を保護板５とともに後方にまたは前方に傾斜させることができるようにし、後方に傾斜させた状態で試験片１２を保護板５の試験片通過透孔２０を通して試験片ホルダー１の試験片収納凹部２に収めるようにしてある一方、試験済みの試験片１２を試験片ホルダー１の試験片収納凹部２から取り出すようにしてある。
【００２２】
本発明は、請求項３に示したように、試験片収納凹部２の構造と試験片１２、試験片受け部材１３及び押えリング１４との関係にも特徴を有する。
図６及び図７に示すように試験片収納凹部２は、試験片１２の径より大きい径であって、試験片を押える押えリング１４が入り得る径にしてある。これによって、試験片１２の周囲に試験片凹部２の壁面との間に試験片１２の膨張を許容する間隔３１を形成してある。即ち、振子の打撃端が試験片１２を打撃する際、試験片１２が側方に膨張できるようにしてある。
そのため、試験片収納凹部２の奥に段部３１を形成し、その奥に試験片１２の最奥部が入り得る径に形成した試験片受け部３３を形成してある。さらに、その奥に同じく段部３４を形成し、その奥に試験片受け部材１３を受け入れる受け部材受け部３５を形成してある。
【００２３】
上記の構成から、試験片１２、受け部材１３及び押えリング１４を試験片収納凹部２内に収納するには、受け部材１３が収納凹部２の最も奥に位置する受け部材受け部３５に収められ、試験片１２の奥部が試験片受け部３３に収められ、これによって試験片１２と収納凹部２の周壁との間に間隔３１が形成され、次いで押えリング１４が収納凹部２の前端部に収められる。試験片１２にべとつきがあっても、間隔３１によってそのべとつきが収納凹部２の周壁に付着することはない。そしてこれら試験片１２、受け部材１３及び押えリング１４を試験片収納凹部２から取り出すには、試験片収納凹部２の奥に設けた通孔６に押し出し棒（図示せず）を挿入して押し出せばよい。
【００２４】
次に、試験片ホルダーの全ての試験片を打撃試験する作用を説明する。試験片ホルダー１の全ての試験片収納凹部２に試験片１２を収納し、保護板５の上部の固定ピン２１を試験片ホルダー１の左側の受け孔７から抜き、保護板５を右側に７．５°の角度だけ回動し、固定ピン２１を試験片ホルダー１の右側の受け孔７に差し込む。これにより保護板５の全ての小径の打撃端通過透孔１９と試験片ホルダー１の全ての試験片収納凹部２とが一致するようにしてある。
この状態で試験片ホルダー１を駆動歯車４を作動して、試験片ホルダー１の一方の端の試験片収納凹部２と保護板５の小径の打撃端通過透孔１９が最下端に位置付くよう、即ち、打撃試験位置に位置付くように試験片ホルダー１と保護板５を移動する。そして、最下端にある試験片１２に振子１７の打撃端１８を打ち下ろして打撃試験をするようにしてある。次いで試験片ホルダー１と保護板５とを１５°角度を移動して、次の打撃試験位置に位置付くようにし、順次試験片ホルダー１と保護板５を移動して全ての試験片１２を打撃試験するようにしてある。
【００２５】
図８乃至図１１に、振子１７の打撃端１８の通過位置に振子１７の打撃端１８が通過する打撃端通過透孔を形成した押圧板について記載してあり、その構成及び作用を説明する。
図中２２が押圧板で、両側を手前方向に湾曲させた概略矩形形状に構成してあり、その中心位置に振子１７の打撃端通過透孔２３を形成してある。この押圧板２２には、上下左右の４個所に後方に向けて連結した連繋棒２４，２４を設け、この連繋棒２４，２４を反発弾性試験機の不動部９を貫通して後方にまで達せさせ、これら４本の連繋棒２４，２４の後端を連結して駆動板２５を設けてある。この駆動板２５にエアシリンダ２６の作動ロッド２７を連結してある（図８図示）。
この押圧板２２は、図１及び図８に示すようにその打撃端通過透孔２３が振子１７の打撃端１８が通過する位置に位置付けてある。また、この押圧板２２には、その打撃端通過透孔２３の上下左右位置に押圧ピン２８，２８を設けてあり、エアシリンダ２６の作動ロッド２７の後方向作動により、押圧板２２を後方に作動する。その際、押圧ピン２８，２８が保護板５の大径の試験片通過透孔２０又は保護板５に別に形成した押圧ピン通過透孔２９，２９を通過して試験片１２の押えリング１４を押圧し、試験片１２を押圧固定するようにしてある。これにより試験片１２の正確な打撃試験を行うようにしてある。
また、エアシリンダ２６の作動ロッド２７の引込み作動、即ち前方作動により、押圧板２２を保護板５より前方に移動し、振子１７の打撃端１８が試験片１２に当らないようにしてあり、打撃試験をただ１回の打撃だけで行うようにしてある。これにより振子１７の打撃端１８が惰性によって試験片１２に数回当るのを防止し、打撃試験の正しい数値だけを得て、試験の数値を安定させるようにしたものである。
【００２６】
図１２に試験片ホルダー１の前後面にヒータ３０を設けた実施例を示してあり、このヒータ作用により所望の温度条件にして、打撃試験を行うことができるようにしてある。
【００２７】
上記した実施例は、試験片ホルダー１及び保護板５をリング状にして構成して試験片を回動供給するようにしたものを示したが、試験片ホルダー及び保護板を直線状に構成し、直線移動により試験片を供給するようにしてもよい。
【図面の簡単な説明】
【００２８】
【図１】本発明試験片供給装置の全体斜視図。
【図２】試験片ホルダーの正面図。
【図３】保護板の正面図。
【図４】保護板が取付けられた試験片ホルダーの上端位置のＢ−Ｂ線断面図。
【図５】図２上A−Aに沿う断面図。
【図６】試験片が試験片ホルダーの試験片収納凹部に収められた状態の断面図。
【図７】試験片が試験片ホルダーの試験片収納凹部から取り出された状態の分解断面図。
【図８】押え板のシリンダー部要部の斜視図。
【図９】押え板裏面の斜視図。
【図１０】押え板の押え位置の断面図。
【図１１】押え板の戻し位置の断面図。
【図１２】試験片ホルダーのヒーター付き拡大断面図。
【符号の説明】
【００２９】
１    試験片ホルダー
２    試験片収納凹部
３    移動用歯型
４    駆動歯車
５    保護板
６    通孔
７    受け孔
８    起立基板
９    不動部
１０  受けローラー
１１  固定ピン
１２  試験片
１３  試験片受け部材
１４  押えリング
１５  受けローラー
１６  受けローラー
１７  振子
１８  打撃端
１９  打撃端通過透孔
２０  試験片通過透孔
２１  出入ピン
２２  押圧板
２３  打撃端通過透孔
２４  連繋棒
２５  駆動板
２６  エアシリンダ
２７  作動ロッド
２８  押圧ピン
２９  押圧ピン通過透孔
３０  ヒーター
３１  間隔
３２  段部
３３  試験片受け部
３４  段部
３５  受け部材受け部
【図１】
2008209113.tif 000003
【図２】
2008209113.tif 000004
【図３】
2008209113.tif 000005
【図４】
2008209113.tif 000006
【図５】
2008209113.tif 000007
【図６】
2008209113.tif 000008
【図７】
2008209113.tif 000009
【図８】
2008209113.tif 000010
【図９】
2008209113.tif 000011
【図１０】
2008209113.tif 000012
【図１１】
2008209113.tif 000013
【図１２】
2008209113.tif 000014